(57)【要約】【課題】本発明が解決しようとする課題は、ダム周辺の住民及びダム周辺への来訪者が、ダムの異常に気付いた時に、速やかに情報提供を行うことが可能なダム管理システム、ダム情報管理サーバ及びダム情報管理方法を提供することである。【解決手段】本実施形態に係るダム管理システムは、ダムの放流に関する管理を行うダム管理システムであって、ダム管理システムは、外部からの環境情報を収集する情報入力・提供装置と、ネットワークを介して接続された通信端末、情報入力・提供装置、および放流操作装置と接続され、通信端末からダム又はダム周辺の異常に関する情報が通報された場合、少なくとも当該通報情報並びに情報入力・提供装置から取得した環境情報に基づいて監視情報を作成して放流操作装置に出力するサーバと、放流に関する操作を行い、監視情報から異常を抽出した場合、異常発生を報知する放流操作装置と、を有する事を特徴とする。【選択図】図１
2017053139.tif 000002
【特許請求の範囲】
【請求項１】
ダムの放流に関する管理を行うダム管理システムであって、
前記ダム管理システムは、
外部からの環境情報を収集する情報入力・提供装置と、
ネットワークを介して接続された通信端末、前記情報入力・提供装置、および放流操作装置と接続され、前記通信端末からダム又はダム周辺の異常に関する情報が通報された場合、少なくとも当該通報情報並びに前記情報入力・提供装置から取得した前記環境情報に基づいて監視情報を作成して放流操作装置に出力するサーバと、
放流に関する操作を行い、前記監視情報から異常を抽出した場合、異常発生を報知する放流操作装置と、
を有する事を特徴とするダム管理システム。
【請求項２】
前記放流操作装置は、
緊急性に関わるキーワードを緊急キーワードとして予め記憶し、
前記サーバより受信した前記監視情報からキーワードを抽出し、
前記緊急キーワードと前記監視情報から抽出した前記キーワードとを比較し、両キーワードが合致する場合にアラームを出す
ことを特徴とする請求項１に記載のダム管理システム。
【請求項３】
前記サーバは、
要求に応じて、前記通信端末の画面に異常情報入力画面を提供し、
前記異常情報入力画面から入力された内容を入力データとして受信し、
前記情報入力・提供装置から前記環境情報を取得し、
前記放流操作装置からダム情報を取得する
ことを特徴とする請求項１に記載のダム管理システム。
【請求項４】
前記サーバは、
前記異常情報入力画面から入力された前記ダム又はダム周辺の異常を示す状況、時間、場所を含む情報を受信することを特徴とする請求項３に記載のダム管理システム。
【請求項５】
前記サーバは、
前記入力データに添付された異常状態を撮影した写真を受信可能なことを特徴とする請求項３に記載のダム管理システム。
【請求項６】
前記サーバは、
ダムの周辺地図を記憶する記憶手段と、
要求に応じて、ダムの周辺地図を提供する提供手段と、
前記周辺地図から選択された地点を異常発生場所の入力データとして受信する受信手段と、
を有することを特徴とする、請求項１に記載のダム情報提供システム。
【請求項７】
ダムの放流に関する管理を行うダム管理システムのダム情報管理方法であって、
前記ダム管理システムは、
外部からの環境情報を収集する情報入力・提供装置と、
ネットワークを介して接続された通信端末、前記情報入力・提供装置、および放流操作装置と接続されたサーバと、
異常発生を報知する放流操作装置と、を有し、
前記サーバは前記通信端末からダム又はダム周辺の異常に関する情報が通報された場合、少なくとも当該通報情報並びに前記情報入力・提供装置から取得した前記環境情報に基づいて監視情報を作成して前記放流操作装置に出力するステップと、
前記放流操作装置は、放流に関する操作を行い、前記監視情報から異常を抽出した場合、異常発生を報知するステップを有することを特徴とするダム情報管理方法。
【請求項８】
前記放流操作装置は、
緊急性に関わるキーワードを緊急キーワードとして予め記憶するステップと、
前記サーバより受信した前記監視情報からキーワードを抽出するステップと、
前記緊急キーワードと前記監視情報から抽出した前記キーワードとを比較し、両キーワードが合致する場合にアラームを出すステップと
を有することを特徴とする請求項７に記載のダム情報管理方法。
【請求項９】
前記サーバは、
要求に応じて、前記通信端末の画面に異常情報入力画面を提供するステップと、
前記異常情報入力画面から入力された内容を入力データとして受信するステップと、
前記情報入力・提供装置から前記環境情報を取得するステップと、
前記放流操作装置からダム情報を取得するステップと、
を有することを特徴とする請求項７に記載のダム情報管理方法。
【請求項１０】
前記サーバは、
前記異常情報入力画面から入力された前記ダム又はダム周辺の異常を示す状況、時間、場所を含む情報を受信するステップを有することを特徴とする請求項９に記載のダム情報管理方法。
【請求項１１】
前記サーバは、
前記入力データに添付された異常状態を撮影した写真を受信するステップを有することを特徴とする請求項９に記載のダム情報管理方法。
【請求項１２】
前記サーバは、
ダムの周辺地図を記憶するステップと、
要求に応じて、ダムの周辺地図を提供するステップと、
前記周辺地図から選択された地点を異常発生場所の入力データとして受信するステップと、
を有することを特徴とする請求項７に記載のダム情報管理方法。
【発明の詳細な説明】
【技術分野】
【０００１】
本発明の実施形態は、ダム管理システム及びダム情報管理方法に関する。
【背景技術】
【０００２】
ダム管理システムは、ダムの放流設備を操作規則に基づき確実かつ容易に操作するため、ダム管理の制御に関わる演算処理や放流設備の操作ならびに操作の支援を行うための設備である。ダム管理システムでは、水門ゲート設備の他に、貯水位計や地震観測装置等の設備が接続されており、各設備から様々なデータを取得している。
【０００３】
ダム管理システムは、接続される設備（水門ゲート設備、地震観測装置、各諸量の計測装置等）について異常があった場合は、異常信号を取り込む事で設備の異常を感知する。しかし、異常信号は、各設備のフェールセーフ機能によるものであり、想定外の異常があった場合は、ダム管理システム側で異常を感知できない恐れがある。最悪の場合、ダム管理者が想定しないところで何らかの災害が起きてしまう恐れがある。
【０００４】
また、震災や大雨による洪水、土砂災害等が発生した時は、ダム周辺は非常に危険な状態となる。もし異常が発生した場合は、ダム管理者は早急な原因確認と、その対応が求められる。一方で、近隣の住民には、災害を防止するために異常を発見した場合は、早急に情報公開して避難等の誘導など、適切に行動しなければならない。
【０００５】
従来は、ダム管理者から近隣住民への情報公開の伝達手段は、防災無線や固定メッセージによる防災関連放送のみであり、近隣の住民はそれらの公開情報を頼りにしていた。そのため、必ずしも住民が知りたい情報が適切に得られているとは限らなかった。また、近隣の住民が、ダムおよびその周辺で何らかの異常に気付いたとしても、連絡窓口や通報手段が明確でないため、情報の伝達が遅れることも懸念される。例えば、自治体のホームページなどから連絡先を調べるといった作業では、電話をするまでに手間も時間もかかってしまい、早急な情報提供をしにくい状況にあった。
【先行技術文献】
【特許文献】
【０００６】
【特許文献１】特開２００９−２０９５４４号公報
【特許文献２】特開２０１０−２３７７３２号公報
【発明の概要】
【発明が解決しようとする課題】
【０００７】
本発明が解決しようとする課題は、ダム周辺の住民及びダム周辺への来訪者が、ダムに関する異常に気付いた時に、速やかに情報提供を行うことが可能なダム管理システム、ダム情報管理サーバ及びダム情報管理方法を提供することである。
【課題を解決するための手段】
【０００８】
本実施形態に係るダム管理システムは、ダムの放流に関する管理を行うダム管理システムであって、ダム管理システムは、外部からの環境情報を収集する情報入力・提供装置と、ネットワークを介して接続された通信端末、情報入力・提供装置、および放流操作装置と接続され、通信端末からダム又はダム周辺の異常に関する情報が通報された場合、少なくとも当該通報情報並びに情報入力・提供装置から取得した環境情報に基づいて監視情報を作成して放流操作装置に出力するサーバと、放流に関する操作を行い、監視情報から異常を抽出した場合、異常発生を報知する放流操作装置と、を有する事を特徴とする。
【０００９】
本実施形態に係るダム情報管理方法は、ダムの放流に関する管理を行うダム管理システムのダム情報管理方法であって、ダム管理システムは外部からの環境情報を収集する情報入力・提供装置と、ネットワークを介して接続された通信端末、情報入力・提供装置、および放流操作装置と接続されたサーバと、異常発生を報知する放流操作装置とを有し、サーバは通信端末からダム又はダム周辺の異常に関する情報が通報された場合、少なくとも当該通報情報並びに情報入力・提供装置から取得した環境情報に基づいて監視情報を作成して放流操作装置に出力するステップと、放流操作装置は、放流に関する操作を行い、監視情報から異常を抽出した場合、異常発生を報知するステップを有することを特徴とする。
【図面の簡単な説明】
【００１０】
【図１】実施形態に係るダム管理システムの概要を示す図。
【図２】実施形態に係るダムに関する情報のインターネットサイトの一例を示す表。
【図３】実施形態に係る異常通報入力画面の一例を示す図。
【図４】実施形態に係る異常通報入力画面で表示される選択肢の一例を示す図。
【図５】実施形態に係る異常通報入力画面で表示される選択肢の一例を示す図。
【図６】実施形態に係る異常通報入力画面で表示される選択肢の一例を示す図。
【図７】実施形態に係る異常通報入力画面で表示されるダムの周辺地図の一例を示す図。
【図８】実施形態に係るダムの情報提供システムの動作の流れを表すフローチャート。
【発明を実施するための形態】
【００１１】
以下、図面を参照して実施形態に係るダム管理システム、ダム情報管理サーバ及びダム情報管理方法を説明する。
【００１２】
（第１の実施形態）
図１は、実施形態に係るダム管理システム１の概要を表す。ダムを管理するダム管理システム１は、通信端末３とネットワーク２を介して接続される。通信端末３は、例えば不特定多数の利用者が携帯するスマートフォンや携帯電話機、またはコンピュータ等であって、主にダム周辺の住民（特に、下流に居住する住民）や、ダムに訪れた観光客等、ダム周辺にいる人に所有される。
【００１３】
ダム管理システム１は、ダムの放流量を制御するための制御系と、制御に必要な情報を入力する情報系と、から構成される。
【００１４】
制御系は、制御系ＬＡＮ１１に接続されたゲート設備１３や、放流操作装置１４を有する。ゲート設備１３は、ダムの貯水位や放流量等のダムの管理に必要な数値を計測し、その計測データをダム情報として放流操作装置１４に送ると共に、放流の際に水門ゲートを制御する機能を持つ。
【００１５】
放流操作装置１４は、ダムからの放流に関わる操作全般を行う。また、放流操作装置１４は、アラーム部１５と表示部１６を備える。アラーム部１５は、通信端末３から入力された入力情報が、信憑性があり、かつ緊急性があると判断したときに、アラームを出して監視員に注意を喚起する。信憑性及び緊急性の有無は、通信端末３から入力された入力情報に含まれる文字情報（キーワード）が、放流操作装置１４に予め登録されているキーワードや、後述する情報入力・提供装置１９から受信した情報（キーワード）に合致しているかどうかで検出することができる。表示部１６は、ダムの諸量データや、流出予測の結果データ等、ダムの管理に必要な情報を表示する。また、異常通報があった際は、通信端末３から入力された情報を表示する。放流操作装置１４は、情報系ＬＡＮ１２とも接続されており、情報系装置とデータのやり取りを行うことが可能である。
【００１６】
情報系は、情報系ＬＡＮ１２に接続された情報入力・提供装置１９や、サーバ１７、ルータ１８を有する。情報入力・提供装置１９は、ダム外部の観測地点に近隣の気象観測設備Ａ（１９−１）、気象観測設備Ｂ（１９−２）から送られる各種観測データと、予想気象データ等の外部から入手した各種環境情報を入力する。同時に上位機関と接続され、データの提供を行う。
【００１７】
サーバ１７は、情報入力・提供装置１９から取得したダムの関連情報を大容量の記憶装置にダム関連情報として記憶する。ダム関連情報とは、ダムやダム周辺の観光情報や周辺地域の交流情報であり、ダム周辺を訪れる観光客や、ダム周辺の住民が利用できるような情報である。即ち、ダム見学に訪れた観光客等の通信端末３（例えば、スマートフォンや携帯電話機）からアクセス可能なＵＲＬアドレス等を公開し、通信端末３にダム情報サイトの各種情報を閲覧できるようになっている。
【００１８】
また、情報サイトにはサーバ１７との通信機能を含み、ダムに関する異常情報を入力する異常情報入力機能や、その異常情報入力を実施できる異常通報アイコン４２を提供する機能も有している。例えば、このダム関連情報は、通信端末３からネットワーク２を通じて要求があった時に提供され、通信端末３には後述する図２乃至図７に示す画面を表示するようになっている。この際、同時に異常情報入力画面または異常通報アイコン４２も表示される。サーバ１７は、この異常情報入力画面から入力された入力データも大容量記憶装置に記憶する。サーバ１７は、さらに問合せアイコン、問合せ画面を提供する機能も有しており、要求に応じて通信端末３の画面に表示する。サーバ１７は、通信端末３から入力された問合せ内容、及び問合せに対する回答も入力データとして大容量記憶装置に記憶する。また、サーバ１７は、情報入力・提供装置１９から入手した外部環境情報、及び放流操作装置１４から入手したダム情報を大容量記憶装置に記憶する。サーバ１７は、大容量記憶装置に記憶した入力データやダム情報データから監視情報を作成して放流操作装置１４に送信する。ルータ１８は、ダム管理システム１と各通信端末３を接続する交換機である。
【００１９】
図２は、サーバ１７が管理しているダム関連情報を通信端末３に提供するインターネットサイトの画面の一例である。図２では、ダムの紹介、ダムやその周辺施設へのアクセス、散策マップ、レストランガイド等、ダムを観光する際に便利な情報がカテゴリ毎に紹介されている。利用者は、通信端末３から希望する情報アイコン４１を選択することで、必要な情報を入手できる。ダムを訪れる際や、その下準備として利用できる内容になっている。
【００２０】
また、口コミや地域交流の情報も掲載されており、観光客だけでなく周辺住民も日常的に利用できる。該当する情報アイコン４１を選択すると、情報を得るだけでなく、情報を書き込むことも可能である。そのため、単に周辺の情報だけでなく情報共有の場としても利用できるようになっている。
【００２１】
このように、通信端末３に提供される画面には、観光客や周辺住民が利用する情報提供・情報交換用の情報アイコン４１と並列して、異常通報アイコン４２と問合せアイコン４３も表示されている。
【００２２】
異常通報アイコン４２は、他のアイコンと違うデザインにして、目立つようにしてある。この異常通報アイコン４２をクリックすると、異常通報専用の入力画面が表示される。この入力画面に入力するだけで、速やかに、かつ容易に、ダム周辺で発生した異常事態を、ダムの管理者に通報できる仕組みとなっている。入力した内容は、サーバ１７を経由して放流操作装置１４の表示部１６に表示され、ダム管理システム１の監視員に連絡される。さらに、速やかな対応が必要と判断された場合は、アラーム部１５でアラームを鳴らして注意喚起をする。
【００２３】
図３は、異常通報アイコン４２によって起動される専用の異常通報入力画面の一例である。通信端末３には、異常通報に必要な項目が入力アイコン４４として表示される。通報者が、入力アイコン４４で表示されている事象（大項目）、事象（小項目）、発生（発見）時刻、発生場所等から異常通報情報を入力し、最後に通報アイコン４５をタッチ（選択）すると、当該入力情報がネットワーク３、ルータ１８を通じてダム管理システム１へ送信され、ダム監視員に通報できる仕組みになっている。
【００２４】
図３の各入力項目からの入力は、サーバ１７に事前に用意して通信端末３に提供される表示情報が選択可能なように、プルダウン▼をタッチして出てきたいくつかの選択肢の１つを選択することで行う。まず、事象（大項目）を選択すると、例えば、図４に示す選択肢が表示されるので、該当するものを選択する。すると次に、事象（小項目）は、事象（大項目）で選択した内容に応じた選択肢が図５のように表示されるので、再度該当するものを選択する。
【００２５】
例えば、河川の水位が異常に高くなっている場合は、図４で示した事象（大項目）の選択肢から「１．河川に関する事」を選択する。すると、事象（小項目）の欄には、図５に示した「１．河川に関する事」のいくつかの選択肢が表示されるので、その中から「２．水位が異常に高い」を選択すればよい。発生（発見）時刻については、現在時刻が表示される。異常を発見してから時間が経っている場合は、異常を発見した日付、時刻、分を選択式で入力する。
【００２６】
発生場所については、図６に示したように操作者の置かれた環境に応じて、やりやすい入力方式を選択することが可能である。例えば、発生現場から、ＧＰＳ機能がついている通信端末３を用いて場所入力する際は「１．現在地」を選択するだけで、発生場所の入力ができる。ＧＰＳ機能がついていない通信端末３から入力する際や、発生場所から離れて入力する際は、「２．地図から選択」を選択する。すると、ダムの周辺地図が表示されるので、発生場所を選択できる。図７は、異常通報入力画面で表示されるダムの周辺地図の一例である。ダムの周辺地図４８から発生場所を選択して、確定アイコン４９をタッチ（選択）すれば、発生場所を入力することができる。
【００２７】
その他、図３の画面から、自由記述アイコン４６をタッチ（選択）すると、異常の状態をフリーワードでより詳しく入力することも可能である。また、カメラアイコン４７を選択すると、通信端末３で撮影した異常の状態を表す写真を添付することができる。なお、自由記述と写真の入力は任意に実施できる。
【００２８】
図２の画面から、問合せアイコン４３をタッチ（選択）すると、急を要する異常通報とは別に、要望や質問を受け付ける。この問合せアイコン４３を選択すると、通信端末３の画面に自由記述欄が表示される。当該画面から、例えば、防災無線の聞こえが悪いので防災無線を増やしてほしい、子供やお年寄りでもダム観光を楽しめるのか、等の要望や質問をフリーワードで入力できる。これらの要望や質問の緊急性は高くないので、放流操作装置１４の表示部には表示されない。問合せアイコン４３からの情報は、サーバ１７を経由して、要望や質問を管理する管理人のコンピュータ（図示せず）に通信される。そして、問合せ内容に対しては、管理人及びダムを管理する関係者が同ページ内に回答する仕組みとなっている。管理人またはダムを管理する関係者が回答をすると、回答内容も併せて記憶される。
【００２９】
このダムに関する情報のインターネットサイト及び異常通報専用の入力画面のＵＲＬアドレスは、ダム周辺の目立つ場所に掲示しておくことで、誰でも簡単にアクセスできるようになっている。例えば、電柱の広告欄や河川に設置されている看板、ダムや河川の駐車場等に、ＵＲＬアドレスを掲載する。サイトにアクセスしやすくするため、併せて、ＵＲＬアドレスをダウンロードできるＱＲコード（登録商標）等も掲示する。
【００３０】
インターネットサイトの形態は、ホームページ形式でも良いし、ＳＮＳ（ソーシャルネットワーキングサービス）形式でも良い。いずれにしても、検索エンジンを用いて検索する際、ダム名や観光名所を入力すれば上位に出てくる施策をしておくことが必要である。
【００３１】
次に、異常を発見してから、ダム管理システム１の監視員に情報が届くまでをフローチャートを用いて説明する。
【００３２】
図８は、ダムの観光客やダム周辺の住民が、ダム周辺で異常を発見し、異常の内容がダム管理システム１の放流操作装置１４の表示部１６に表示され、監視員に伝達されるまでを示したフローチャートである。
【００３３】
まず、異常を発見した人は、所持している通信端末３からダムに関する情報のインターネットサイト（ＵＲＬアドレス）にアクセスする（Ｓ５０１）。すると、通信端末３には、図２に示す画面が表示されるので、当該画面の異常通報アイコン４２をタッチ（選択）し、図３に示す異常通報専用の入力画面を表示させる（Ｓ５０２）。なお、異常通報専用の入力画面のアドレスが分かる場合は、Ｓ５０１でダムに関する情報のインターネットサイトにアクセスする作業は必要ない。
【００３４】
続いて、図３乃至図７の入力画面から各項目について、該当する選択肢を選択し、入力する（Ｓ５０３）。必要な項目を全て入力し終えたら、図３の通報アイコン４５をタッチ（選択）する（Ｓ５０４）。
【００３５】
通信端末３から異常通報情報を入力して通報アイコン４５が選択されると、入力された入力データは、ネットワーク２を介して、ダム管理システム１のルータ１８を通り、サーバ１７に送信される（Ｓ５０５）。サーバ１７は、受信した入力データを、受信日時や発信者情報と共に、項目ごとに大容量記憶装置に記憶する（Ｓ５０６）。そして、受信した入力データを、情報入力・提供装置１９から受け取っている気象情報等の外部情報のデータ、及び放流操作装置１４から受け取っているダム情報データと共に監視情報を作成して、放流操作装置１４に送信する（Ｓ５０７）。
【００３６】
放流操作装置１４は、サーバ１７より受信した監視情報（各データ）のキーワードを抽出する（Ｓ５０８）。そして、予め登録してある緊急キーワードと、監視情報から抽出したキーワード（即ち、通報情報のキーワード、外部情報のデータとダム情報データに含まれるキーワード）とを比較する（Ｓ５０９）。これらのキーワードが合致する場合は（Ｓ５１０のｙｅｓ）、信憑性と緊急性がある異常通報であり、急な対応を必要とする情報として判定され、放流操作装置１４のアラーム部１５でアラームを出して監視員に注意を喚起すると共に（Ｓ５１１）、放流操作装置１４の表示部１６で受信内容を表示する（Ｓ５１２）。一方、キーワードが合致しない場合や、その判断がつかない場合（Ｓ５１０のｎｏ）は、アラームは出さずに、受信データを放流操作装置１４の表示部１６に表示する（Ｓ５１２）。
【００３７】
このようにして、ダムの観光客及びダム周辺の住民が気づいたダムの異常内容が、速やかに通信端末３により入力され、入力された内容はネットワーク２を通してダム管理システム１の放流操作装置１４の表示部１６に表示され、監視員に情報が届けられる。表示の際には、必要に応じてアラーム部１５よりアラームが出るので、監視員及び関係者は発生した異常事態に対し、速やかに対応できる。
【００３８】
本実施形態では、ダムの異常通報専用アイコンを、観光客が閲覧し、ダム周辺の住民が日常的に利用するインターネットサイトに設置することで、ダムやその周辺の住民がダムやダム周辺の異常に気付いた時に、手早く簡単に異常通報をすることが可能となった。また、入力された内容は、放流操作装置１４の表示部１６に表示され、ダム管理システム１の監視員に速やかに連絡されることで、ダムを管理する監視員の気づかない異常についても速やかに対応することが可能となった。
【００３９】
また単にダムの異常通報アイコンを設けただけでなく、観光客が閲覧し、ダム周辺の住民が日常的に利用するインターネットサイトにダムの異常通報アイコンを設置することで、異常通報アイコンの存在を知ってもらい、観光客やダム周辺の住民がダム周辺の異常に気付いた時に、手早く異常通報をすることが可能となった。また異常通報に特化した専用の入力画面を設け、選択式の入力方式を採用することで、異常の内容を、短時間でより的確に入力することが可能となった。ダム管理システム１の監視員も、通報者が記入した独自のワードを理解する手間がなくなり、短時間で的確に異常の状態を把握することが可能となった。
【００４０】
なお、いくつかの実施形態を説明したが、これらの実施形態は、例として提示したものであり、発明の範囲を限定する事は意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
１  ダム管理システム
２  ネットワーク
３  通信端末
１１  制御系ＬＡＮ
１２  情報系ＬＡＮ
１３  ゲート設備
１４  放流操作装置
１５  アラーム部
１６  表示部
１７  サーバ
１８  ルータ
１９  情報入力・提供装置
１９−１  気象観測設備Ａ
１９−２  気象観測設備Ｂ
４１  情報アイコン
４２  異常通報アイコン
４３  問合せアイコン
４４  入力アイコン
４５  通報アイコン
４６  自由記述アイコン
４７  カメラアイコン
４８  周辺地図
４９  確定アイコン
【図１】
2017053139.tif 000003
【図２】
2017053139.tif 000004
【図３】
2017053139.tif 000005
【図４】
2017053139.tif 000006
【図５】
2017053139.tif 000007
【図６】
2017053139.tif 000008
【図７】
2017053139.tif 000009
【図８】
2017053139.tif 000010